(57)【要約】【課題】オネジ寸法が異なっていても、同一口径のメータであれば全てのメータに使用可能なメータユニットを提供することをその課題とする【解決手段】ベースの両端部に取付けられる止水栓１６１と逆止弁１０２、メータ１５０を着脱自在に取付ける着脱装置１２１からなる水道用メータユニット。着脱装置は回転部材１２２とスライド部材１３１を備え、スライド部材のメータに押圧されるフランジ部１３５の外端面１３５ａにはメータの通水口１５５の端部が嵌る環状溝１３６が形成され、環状溝の内側には溝の底面１１３より突出する円周壁１３７が形成され、円周壁の外径は通水口の内径に対応する。逆止弁の押さえ部材１０８のメータに押圧されるフランジ部１１０の外端面１１０ａにはメータの通水口１５１の端部が嵌る環状溝１１１が形成され、環状溝の内側には外端面よりも突出する円周壁１１２が形成され、円周壁の外径は通水口の内径に対応する寸法となっている。メータは、円周壁１１２、１３７が通水口１５１、１５５に嵌ることにより支持される。【選択図】  図５
2005134137.tif 000002
【特許請求の範囲】
【請求項１】
長尺状のベースと、該ベースの両端部においてそれぞれ該ベースに固定される第1と第2のバルブ等水道用機器と、前記第１と第２の機器の間に配置されるメータを、前記第１と第２の機器に着脱自在に接続固定する着脱装置を備え、前記着脱装置は前記第1と第2の機器のいずれか一方と前記メータとの間に位置するように前記一方の機器に接続され、前記着脱装置は、貫通孔を備えた、一端側において前記第１の機器の通水口に連通し、前記第1の機器に対して前記第１の機器の通水口の軸方向にスライド可能なスライド部材を備え、前記スライド部材を一方方向にスライドさせ、該スライド部材の他端側が前記メータの一方の通水口端部に当接し、前記第1と第２の機器の他方の機器の通水口端部が前記メータの他方の通水口端部に当接した状態で、前記メータを押圧挟持するメータユニットにおいて、前記スライド部材の前記他端側と前記他方の機器の通水口端部にはそれぞれ、前記メータの通水口端面に当接可能な当接面と、該当接面より突出し、前記メータの通水口の内径に対応する外径を有する薄肉の円環状嵌合部とを備えていることを特徴とする、水道用メータユニット。
【請求項２】
請求項１記載の水道用メータユニットにおいて、前記着脱装置は、前記一方の機器の通水口に連通する貫通孔を備えた、前記一方の機器の通水口に回転可能に取付けられた回転部材を備え、前記スライド部材は、回転阻止された状態で前記回転部材に螺合し、前記スライド部材の貫通孔は前記回転部材の貫通孔に連通していることを特徴とする、水道用メータユニット。
【請求項３】
請求項１または２に記載の水道用メータユニットにおいて、前記スライド部材と前記他方の機器の前記円環状嵌合部の外周側にそれぞれ円環状の窪みが形成され、該それぞれの窪みに前記メータのそれぞれの通水口端部が嵌り、前記それぞれの窪みの底部には円周方向に延びる円環溝が形成され、該円環溝にシールリングが収受され、前記メータの通水口端部の端面と前記溝の底部が当接することにより前記シールリングを圧縮してシールすることを特徴とする、水道用メータユニット。
【発明の詳細な説明】
【技術分野】
【０００１】
本発明は水道用メータユニットに関し、さらに詳細に言えば、メータの取付け方法或いは支持方法を改良した水道用メータユニットに関する。
【背景技術】
【０００２】
本願出願人は、特開平９−２８０９１９号等において、集合住宅のパイプシャフト内に設置して使用する水道用メータユニットを提案した。すなわち、集合住宅の階段の踊り場の側壁部に、水道用メータやガスメータなどを設置する、通称パイプシャフトなる格納スペースが設けられている。このパイプシャフト内にメータ等を設置することにより、検針員がわざわざ各個別の屋内に入らないでも検針が行えるようになっている。
【０００３】
ところで、このパイプシャフト内はきわめて狭い上に、ガスや電気などのメータ、機器なども一緒に収納されていることが多く、これらの管と輻輳、競合して、充分な作業スペースの確保ができず、その中で、設置済みの配管に止水栓、逆止弁などを個別に接続し、メータを取付けられるようにする作業は容易でない。また、水道メータは一定の期間が経過すると検定満了としてメータの交換を行うことになっているが、その交換作業にも困難を生じているのが実状であった。
【０００４】
また、止水栓や逆止弁などへ接続するメータ周りの配管継手部ではニップルを使用する工法が行なわれていたが、通常止水栓や逆止弁は青銅製であり、ニップルは鉄製であるため、異種金属接触によるマクロセル腐食により肉厚の薄いニップルが著しく損傷し、これも検定満了メータの交換に支障を来す原因となっていた。
【０００５】
そこで、事前にベースの両端側にそれぞれ止水栓、逆止弁など所定の機器を固定して取付け、それらの機器の間に、ニップルを使用することなく、スライド装置等によりメータを着脱自在に取付けられるようにしたものが、特開平９−２８０９１９号で提案されたメータユニットである。これにより、その後のメータの取付け、或いは交換作業がきわめて簡単な作業となり、狭いスペースでの作業負担が著しく軽減できた。また、ニップルの腐食による問題も解消された。
【０００６】
以下、後述する本願発明の理解を容易にするために、図１乃至３を参照して、従来の水道用メータユニットの一例について簡単に説明する。図1はメータユニットの一従来例を示す側面図である。図においてメータユニット１は、金属製で長尺状に形成されたベース１３を備え、その上流側と下流側の端部に、公知のボール式止水栓５と７がそれぞれボルト１７、１８を用いて固定され、配管８ａ、８ｂに接続されている。また、下流側の止水栓７には、その上流側においてこれも公知のカートリッジ式逆止弁９が取付けられている。そして上流側の止水栓５と逆止弁９との間に、メータ３が着脱装置１１によって着脱自在に取付けられるようになっている。なお、ベース１３はその両端部において、アンカーボルト１９、ナット２０を用いて、パイプシャフトの床Ａに固定されている。図１は、メータ３がメータユニット１に取付けられた状態を示している。
【０００７】
図２は逆止弁９とメータ３との取付け状態を示す部分断面図である。カートリッジ式逆止弁９は、ケース２１内にカートリッジ２３を組み込んである。カートリッジ２３は、軸２７を備えた中央部の基部２９と、基部２９から径方向外方へ伸びる複数のリブ３１と、リブ３１の外端部を繋ぐ円環部３３と、円環部３３から軸方向に延びる複数のリブ３５と、その先端部を繋ぐ円環部３７とを備えた非閉鎖型の枠体２５を備えている。円環部３７には、金属製リング３９を一体モールドした弁座４１が取付けられている。符号４３は軸２７により案内される弁体で、バネ４５により付勢されている。カートリッジ２３は、その円環部３３がケース２１の内部に形成された段部４７に当接し、ケース２１の端部外周にネジ結合で取付けらた袋ナットすなわち押え部材４９により抜け止めされている。
【０００８】
ケース２１には外周側にも段部４８が形成されており、この段部４８が止水栓７の上流側開口端部８に当接している。押さえ部材４９のケースへ取付ける側の反対側には、メータ３の下流側通水口３ｂを受入れて支持する受け部５０が形成されている。すなわち押さえ部材４９は、メータ３の受け部材ともなっている。なお、メータ３は従来使用していたものと同じタイプであり、図には示してないが、その通水口３ｂの外周には連結用のオネジが形成されており、受け部５０は、そのネジの外形寸法に対応した内径を有する円形の窪みとして筒状に形成されており、図１、２から判るとおり、下側半分の丈が長くなっている。符号５２は押え部材４９の受け部５０の底面すなわち当接面に形成された溝に取付けられたシールリングであり、図示の通り、メータ３の通水口３ｂの端面が当接することにより、圧縮されてこの部分をシールしている。符号５１は止水栓７の開口端部８近くに設けられたドレインプラグである。
【０００９】
図３は着脱装置１１の詳細と、装置１１とメータ３との取付け状態を示す部分断面図である。着脱装置１１は上流側の止水栓５の下流側開口端部６に図示の如く取付けられている。すなわち、着脱装置１１のロックナット５５が、ロックナット５５に取付けられたロックリング５３とロックナット５５の鍔部８３によりフランジ８５を挟み、止水栓５の開口端部６のフランジ部８５に図示の様に取付けられ、回転自在であるが、軸方向移動不能すなわち抜け止めされている。ロックナット５５は貫通孔５６を備え、その内周部にメネジが形成されている。スライドホルダ５７は貫通孔５８を備え、外周にオネジが形成されてロックナット５５に対して螺合し、その上流側端部が止水栓５の端部6内に挿入されている。
【００１０】
スライドホルダガイド５９は図3の紙面垂直方向両側に伸びる鍔部６９でボルト７１、ナット７３によりベース１３に取り付けられている。スライドホルダガイド５９は、その円筒部６３内にスライドホルダ５７の円筒部６１を収受すると共に、円筒部外周側をカットして形成された、スライドホルダ５９の平面部６５に対応した平面部６７を備えており、これによりスライドホルダ５７の回転を阻止しながら、軸方向移動を案内する。そしてスライドホルダ５７の端部には、貫通孔５８の周囲に段状に円形の窪みが形成され、メータ３の上流側の通水口３ａを受入れて支持する受け部７７となっている。すなわちスライドホルダ５７は、メータ３の受け部材ともなっている。図示してないが、メータ３の上流側の通水口３ａの外周にも連結用のオネジが形成されており、受け部７７は、そのネジの外形寸法に対応した内径を有する円形窪みに形成されており、図１、３から判るとおり、下側部分において丈が長くなっている。符号７５はロックナットに形成された摘みであり、これによりロックナット５５を回転させることができる。符号７９はスライドホルダ５７の受け部７７の底面すなわち当接面に形成された溝に取付けられたシールリングであり、図示の通り、メータ３の通水口３ａの端面が当接することにより、圧縮されてこの部分をシールしている。符号８１はロックナット５５をスライドホルダガイド５９に留める止めボルトである。
【００１１】
以上の説明から判るとおり、メータ3は着脱装置１１のスライドホルダ５７を前後進させることによりメータユニット１に簡単に着脱自在に取付けることができ、交換が容易である。ネジ結合を用いず、押圧固定式としたのでメータ３と止水栓５、逆止弁９との連結にニップルを使用する必要もない。
【００１２】
ところで上記のメータユニットでは、押え部材４９の受け部５０、スライドホルダ５７に設けた受け部７７共に、それぞれメータ３の通水口３ｂ、３ａのオネジ外径に対応した径の円形の窪みとして形成されており、その窪み内へメータ３の通水口を挿入し、メータの通水口の端面を窪みの底面に当接することにより互いの位置決めを行ない、その状態で押圧することにより結合している。そして前述のとおり、集合住宅で使用するメータも、他の戸建ての住宅に使用するメータと同じものが使用されるのが原則であるが、同じ口径（通水口の内径寸法）のメータであっても、各水道事業体によって承認されているものに各種あり、その通水口外周部に形成したオネジの径が異なっている場合が有る。例えば東京都においても２３区内と都下とでオネジ寸法の異なったメータが使用されている。これらオネジ径の異なる同口径の各メータに対応するために、従来のメータユニットでは、同じ口径でありながら、前述の受け部の径を変えるか、或いは径の大きいものに寸法を合わせて製作し、寸法の小さいメータには調整用のアタッチメントを取付けて対応していた。このため、製造コストの増大或いは使用部品数の増加、管理上の手間、さらには取付け現場での取り違いなど、多くの問題を抱えている。
【００１３】
【特許文献１】特開平９−２８０９１９号公報
【発明の開示】
【発明が解決しようとする課題】
【００１４】
本願発明は上記従来の問題点に鑑みなされたものであり、そのオネジ寸法が異なっていても、同一口径のメータであれば全てのメータに使用可能なメータユニットを提供することをその課題とする。
【課題を解決するための手段】
【００１５】
上記課題を解決するために本願発明の水道用メータユニットでは、メータを、そのメータの通水口の内周側において受止めて支持するようにした。すなわち本願発明のメータユニットは、長尺状のベースと、該ベースの両端部においてそれぞれ該ベースに固定される第1と第2のバルブ等水道用機器と、これら第１と第２の機器の間に配置されるメータを、第１と第２の機器に着脱自在に接続固定する着脱装置を備えており、着脱装置は第1と第2の機器のいずれか一方の機器に接続されて、接続された一方の機器とメータとの間に位置するようになっている。そして着脱装置は、貫通孔を備えた、一端側において第１の機器の通水口に連通し、第1の機器に対してこの第１の機器の通水口の軸方向にスライド可能なスライド部材を備えており、このスライド部材を一方方向にスライドさせることにより、該スライド部材の他端側がメータの一方の通水口端部に当接し、第1と第２の機器のうちの他方の機器の通水口端部がメータの他方の通水口端部に当接した状態で、メータを押圧挟持するメータユニットであり、スライド部材の前記他端側と前記他方の機器の通水口端部にはそれぞれ、メータの通水口端面に当接可能な当接面と、該当接面より突出し、前記メータの通水口の内径に対応する外径を有する薄肉の円環状嵌合部とを備えている。
【００１６】
他の実施の形態では、その着脱装置は、前記一方の機器の通水口に連通する貫通孔を備えた、前記一方の機器の通水口に回転可能に取付けられた回転部材を備えており、前記スライド部材は、回転阻止された状態でこの回転部材に螺合し、スライド部材の貫通孔は回転部材の貫通孔に連通している。
【００１７】
他の実施の形態では、スライド部材と前記他方の機器の円環状嵌合部の外周側にそれぞれ円環状の窪みが形成されており、該それぞれの窪みにメータのそれぞれの通水口端部が嵌り、それぞれの窪みの底部には円周方向に延びる円環溝が形成され、該円環溝にシールリングが収受されており、メータの通水口端部の端面と溝の底部が当接することによりシールリングを圧縮してシールする。
【発明の効果】
【００１８】
上記のとおり、本願発明でのメータユニットでは、メータの通水口の外周側ではなく、メータの口径により一定の寸法に定められている通水口の内周側においてメータを支持するようにしたので、同一口径のメータに対しては例えその通水口部の外径が異なっている場合であっても同一のメータユニットが使用可能となり、製造コストの低減及び使用部品数の低減、管理上の手間の削減を達成することが可能となり、さらには取付け現場での取り違い等の問題も生じない。
【発明を実施するための最良の形態】
【００１９】
図4以下を参照して本発明の具体的実施の形態を説明する。以下の説明では、前述した従来例のメータユニットの構成と異なる部分のみに付いて説明し、従来例と同じで良い部分についての説明は省略する。図４と図5はそれぞれ従来例での図２及び図３に対応する図であるが、本発明の説明上必要な部材のみを図示してある。また、図２、３とは異なり、メータを接続してない状態で図示してある。
【００２０】
図4はメータユニット１０１のベース（図示せず）上において下流側に配置された逆止弁１０２とメータ１５０との結合状態を説明する図である。メータ１５０の下流側通水口１５１の端部外周側にはオネジ１５２が刻設されている。
【００２１】
図では逆止弁１０２のみが図示されているが、この逆止弁１０２は、前に説明した従来例と同様に、ベースに取付けられたボール式止水栓に対しその上流側において取り付けられていても良いし、或いは止水栓は使用せず、逆止弁がベースに取り付けられていてもよい。逆止弁の形式も図示のものに限定されない。また、逆止弁ではなく、必要に応じてエルボなど他の機器が取り付けられる場合もある。
【００２２】
図示の逆止弁１０２は従来で説明したものと同じタイプのカートリッジ式であり、図中符号１０３はケース、１０４はカートリッジ、１０５は枠体、１０６は弁体、１０７は弁座である。これらの構成は従来例の説明で述べたものと同様であるので、その説明は省略する。
【００２３】
符号１０８はカートリッジをケース１０３に固定するための押さえ部材であり、弁座１０７に通じる貫通孔１０９を備えている。この押さえ部材１０８は図示の通りネジ結合でケース１０３に取付けられている。ケース１０３の開口端面に当接するそのフランジ部１１０の外側端面１１０ａには、貫通孔１０９を囲む形で円周方向に延びる環状の窪み或いは溝１１１が形成されている。溝１１１は貫通孔１０９の周囲に薄い円周壁１１２を残すように形成されており、その円周壁１１２の先端は外端面１１０ａより若干突出している。窪み１１１の底部或いは底面１１３には径方向所定の位置で、さらに幅の小さい円周溝１１４が形成され、その溝１１４にシール用のＯリング１１５が収受されている。
【００２４】
円周壁１１２の外径は、メータ１５０の通水口１５１の径に対応する大きさであり、押え部材１０８の円周壁１１２がこの通水口１５１内へ嵌るようになっており、その際に通水口１５１の端部が押え部材１０８の窪み１１１に嵌るようになっている。そしてメータ１５０が押え部材１０８に対して押圧されると、通水口１５１の端面１５４が窪み１１１の底面すなわち当接面１１３に当接し、メータ１５０のそれ以上の移動を制限すると共に、Ｏリング１１５を圧縮するようになっている。
【００２５】
図５はメータ１５０と着脱装置１２１との結合状態を説明する図である。図において、着脱装置１２１は、従来例の着脱装置と同様に回転部材１２２とこれに螺合するスライド部材１３１とを備えている。なお、スライド部材１３１の回転を阻止して軸方向移動を案内するスライド部材ガイドの図示は省略してある。
【００２６】
回転部材１２２は従来例同様、途中に内方フランジ１２４が形成された貫通孔１２３を備え、フランジ１２４の方側においてその内周にメネジ１２５が刻設されている。そしてフランジ１２４の反対側において形成された円周溝１２６に収受された取付けリング１２８とフランジ１２４とで、止水栓１６１の通水口１６２の端部に形成された外方フランジ１６３を挟むことにより、通水口１６２に回転可能に取り付けられている。符号１２７はハンドルであり、これにより回転部材１２２を回転させることができる。
【００２７】
符号１３１はスライド部材であり、貫通孔１３２を備え、外周側中間部分に形成されたオネジ１３３が回転部材１２２のメネジ１２５に螺合し、一端側１３４が止水栓１６１の通水口１６２内に挿通されている。そして他端側の径大部或いはフランジ部１３５の外側端面１３５ａには、貫通孔１３２を囲む形で円周方向に延びる環状の窪み或いは溝１３６が形成されている。溝１３６は貫通孔１３２の周囲に薄い円周壁１３７を残すように形成されており、その円周壁１３７の先端は外端面１３５ａより若干突出している。窪み１３６の底部或いは底面１３８には径方向所定の位置で、さらに幅の小さい円周溝１３９が形成され、その溝１３９にシール用のＯリング１４０が収受されている。
【００２８】
円周壁１３７の外径は、メータ１５０の通水口１５５の径に対応する大きさであり、スライド部材１３１の円周壁１３７がこの通水口１５５内へ嵌るようになっており、その際に通水口１５５の端部がスライド部材１３１の窪み１３６に嵌るようになっている。そしてメータ１５０に対してスライド部材１３１が押圧されると、通水口１５５の端面１５８が窪み１３６の底面すなわち当接面１３８に当接し、メータ１５０に対するスライド部材１３１の移動を制限すると共に、Ｏリング１４０を圧縮するようになっている。
【００２９】
図６は、図５の平面図である。図に示されるように、フランジ部１３５はその上部において、その外端面１３５ａから略円環溝１３６の深さ分だけ、円周方向所定の範囲で切り欠かれて窓孔１３５ａが形成されている。この窓孔１３５ａを通して円環溝１３６内を見ることができ、メータの取付け作業にあたってメータの通水口端部が円環溝内に嵌っているかどうかを確認することができる。同様の窓孔を逆止弁の押さえ部材に設けることもできる。
【００３０】
なお、メータ１５０の通水口１５１、１５５の端部をそれぞれ収受する環状溝１１１、１３６の幅は、同一口径のメータで最大の外径を有する通水口端部を収受できる寸法に設定される。また、ベースに取付けられる水道用器機は、上記した止水栓、逆止弁にかぎられない。また、着脱装置はメータの下流側に位置するように取付けることもできる。
【図面の簡単な説明】
【００３１】
【図１】水道用メータユニットの一従来例を示す側面図である。
【図２】従来例のユニットのメータと下流側の機器との接続状態を示す図である。
【図３】従来例のユニットのメータと下流側の機器との接続状態を示す図である。
【図４】本発明の実施の形態に係るメータユニットの上流側の結合状態を示す図である。
【図５】本発明の実施の形態に係るメータユニットの下流側の結合状態を示す図である。
【図６】図５の平面図である。
【符号の説明】
【００３２】
１０１  水道用メータユニット
１０２  逆止弁
１０３  ケース
１０４  カートリッジ
１０８  押え部材
１１０  フランジ
１１１  環状溝
１１２  円周壁
１１３  底面
１１４  円周溝
１１５  Ｏリング
１２１  着脱装置
１２２  回転部材
１２３  貫通孔
１３１  スライド部材
１３２  貫通孔
１３５  フランジ部
１３５ａ  外端面
１３６  環状溝
１３７  円周壁
１３８  底面
１３９  円周溝
１４０  Ｏリング
１５０  メータ
１５１、１５５  通水口
１５４、１５８  端面
【図１】
2005134137.tif 000003
【図２】
2005134137.tif 000004
【図３】
2005134137.tif 000005
【図４】
2005134137.tif 000006
【図５】
2005134137.tif 000007
【図６】
2005134137.tif 000008